【手続補正書】
【提出日】平成27年1月27日(2015.1.27)
【手続補正１】
【補正対象書類名】特許請求の範囲
【補正対象項目名】全文
【補正方法】変更
【補正の内容】
【特許請求の範囲】
【請求項１】
光学フィルム材料を含むデバイスの表面又は内部に１つまたは複数の静止した２次元画像をレーザでマーキングするための方法であって、前記光学フィルム材料は少なくとも１つの合成拡大画像を投影し、前記方法は、
レーザエネルギにより、又はレーザを受光する層内でのレーザ吸収により生じる熱とガスにより損傷を受け得る、前記光学フィルム材料内の１つまたは複数の層または界面を特定し、
レーザエネルギでマーキング可能な１つまたは複数の層をレーザ感応層又は界面の上方に配置するか、１つまたは複数の熱スペーサ層と１つまたは複数のレーザマーキング可能な層を前記光学フィルム材料の下方に配置して、前記１つまたは複数の熱スペーサ層が前記光学フィルム材料と前記１つまたは複数のレーザマーキング可能な層との間に配置されるようにするか、レーザ感応界面を改質して前記レーザ感応界面の結合強度及び熱抵抗の少なくとも一方を向上させるか、または、前記レーザ感応層を、より高い結合強度及びより高い熱抵抗の少なくとも一方を有する材料からできた層に置き換えるかし、
熱と圧力をかけて前記複数の層を一緒に成形して、前記光学フィルム材料を含むデバイスを形成し、
前記デバイスをレーザエネルギで照射して、前記１つまたは複数のレーザマーキング可能な層の上又は内部に１つまたは複数の静的２次元画像をマーキングする、
ことを含む方法。
【請求項２】
前記１つまたは複数のレーザマーキング可能な層は前記レーザ感応層の上方に配置され、
前記光学フィルム材料は、屈折型集光素子の１つまたは複数のカプセル化された配列と、光学的スペーサ層の反対側に配置された画像アイコンの１つまたは複数の配列とから成り、前記画像アイコンの１つまたは複数の配列は、レーザエネルギにより損傷を受け得る前記光学フィルム材料の１つまたは複数の層を構成し、
又は、
前記光学フィルム材料は、反射型集光素子の１つまたは複数のカプセル化された配列と、光学的スペーサ層の反対側に配置された画像アイコンの１つまたは複数の配列とから成り、前記反射型集光素子の１つまたは複数のカプセル化された配列は、レーザエネルギにより損傷を受け得る前記光学フィルム材料内の１つまたは複数の層を構成し、
前記デバイスは、前記レーザマーキング可能な層の中に識別可能なマークが形成されるのに十分な量のレーザエネルギの照射を受ける、請求項１に記載の方法。
【請求項３】
前記１つまたは複数のレーザマーキング可能な層は、ポリエーテルスルフォン、ポリスルフォン、ポリカーボネート、及びポリフェニレンサルファイドから成る群から選択される、熱可塑性ポリマーを利用して準備され、
前記１つまたは複数のレーザマーキング可能な層は、レーザマーキング可能な透明ポリカーボネートフィルムであり、
又は、
前記１つまたは複数のレーザマーキング可能な層は、レーザマーキング可能な透明なポリカーボネートシートである、請求項１に記載の方法。
【請求項４】
前記１つまたは複数のレーザマーキング可能な層は、レーザエネルギでマーキング可能であり、
前記１つまたは複数のレーザマーキング可能な層は、１つまたは複数のレーザ添加物と、ポリスチレン、スチレンアクリロニトリル、アクリロニトリルブタジエンスチレン、ポリエチレンテレフタレート、グリコール変性ポリエチレンテレフタレート、ポリブチレンテレフタレート、及びポリエチレンから成る群から選択される、１つまたは複数の熱可塑性ポリマーとを用いて準備され、
前記１つまたは複数のレーザ添加物はカーボンブラックから成る、請求項１に記載の方法。
【請求項５】
前記１つまたは複数の熱スペーサ層と前記１つまたは複数のレーザマーキング可能な層は、前記光学フィルム材料の下方に配置され、前記１つまたは複数の熱スペーサ層は前記光学フィルム材料と前記１つまたは複数のレーザマーキング可能な層との間に配置され、
前記光学フィルム材料は、カプセル化された屈折型集光素子の配列と、光学的スペーサ層によって分離された画像アイコンの配列とを備え、
又は、
前記１つまたは複数の熱スペーサ層は、透明な熱可塑性材料を用いて準備され、
又は、
前記１つまたは複数の熱スペーサ層は、５μｍ〜５００μｍの範囲の厚さを有し、
又は、
前記デバイスは、前記レーザマーキング可能な層の中に識別可能なマークが形成されるのに十分な量のレーザエネルギの照射を受ける、請求項１に記載の方法。
【請求項６】
集光素子の１つまたは複数のカプセル化された配列と、光学的スペーサ層の反対側に配置された画像アイコンの１つまたは複数の配列とを備え、前記集光素子の少なくとも一部が、前記画像アイコンの少なくとも一部が成す少なくとも１つの合成拡大画像を形成する、光学フィルム材料と、
前記光学フィルム材料の上方及び下方の少なくとも一方に配置された１つまたは複数の層と、
を備えるレーザマーキング可能な光学デバイスであって、
前記光学フィルム材料の内部の少なくとも１つの配列又は層、又は前記光学フィルム材料の上方又は下方にある少なくとも１つの層は、レーザエネルギでマーキング可能であり、
前記光学フィルム材料の前記集光素子や前記画像アイコンを損傷することなしに、前記１つまたは複数のレーザマーキング可能な配列又は層の上又は内部に、静的な２次元画像をレーザマーキング可能である、レーザマーキング可能な光学デバイス。
【請求項７】
前記光学フィルム材料は、カプセル化された屈折型集光素子の配列と、光学的スペーサ層により分離された画像アイコン配列とを備え、
前記画像アイコン配列の上方に配置された１つまたは複数の配列又は層はレーザマーキング可能である、請求項６に記載のレーザマーキング可能な光学デバイス。
【請求項８】
前記光学フィルム材料の上方及び下方の少なくとも一方に位置する前記１つまたは複数の層が、前記光学デバイスの所望の全体厚さを実現する役目を果たし、又は、最外層として配置されている場合には、デバイスの不正改竄又は改変、及び摩耗に対する耐性を向上させる、１つまたは複数の透明な熱可塑性材料の層を含み、
又は、
前記光学フィルム材料は、カプセル化された屈折型集光素子の配列と、光学的スペーサ層により分離された画像アイコン配列とを備え、前記画像アイコン配列の上方に配置された１つまたは複数の配列又は層はレーザマーキング可能であり、
前記光学フィルム材料の上方に配置された最外層は、透明な熱可塑性材料層であり、前記の透明熱可塑性材料層は、５μｍ〜５００μｍの範囲の厚さを有し、
又は、
前記屈折型集光素子は、前記屈折型集光素子の形成に用いられる材料の屈折率とは、計測できる程度に異なる屈折率を有する材料を用いてカプセル化され、
前記屈折率の違いにより、前記集光素子の焦点距離が前記１つまたは複数の画像アイコンの配列上に収束し、
又は、
前記カプセル化された前記材料は、透明または半透明であるか、薄く着色または色素が含まれており、光学効果、電気伝導度や、静電容量、磁場の検出に依存する、自動通貨認証、検証、追跡、計数及び検出のシステムのサポートを含む、セキュリティと認証のための追加的な機能を提供し、前記カプセル化された前記材料は、光の屈折が完全には乱されないとして、接着剤、ジェル、グル−、ラッカー、液体、成形ポリマー、及びポリマーや、有機物または金属分散物を含有するそのほかの材料、から成る群から選択される、請求項６に記載のレーザマーキング可能な光学デバイス。
【請求項９】
前記光学フィルム材料は、カプセル化された反射型集光素子の配列と、光学的スペーサ層により分離された光学アイコンの配列とを備え、前記カプセル化された反射型集光素子の配列の上方に配置された１つまたは複数の配列又は層は、レーザマーキング可能であり、
前記反射型集光素子は、金属被覆されているか、又は高屈折率の非金属材料で被覆されて、前記反射型集光素子は、硫化亜鉛、インジウム錫酸化物、及びそれらの組合せから成る群から選択される高屈折率の非金属材料で被覆されている、請求項６に記載のレーザマーキング可能な光学デバイス。
【請求項１０】
カプセル化された屈折型もしくは反射型集光素子の配列と、レーザマーキング可能な光学的スペーサ層により分離された画像アイコンの配列とを備える独立型デバイスである、請求項６に記載のレーザマーキング可能な光学デバイス。
【請求項１１】
前記１つまたは複数のレーザマーキング可能な配列又は層は、ポリエーテルスルフォン、ポリスルフォン、ポリカーボネート、及びポリフェニレンサルファイドから成る群から選択される熱可塑性ポリマーを利用して準備され、
前記１つまたは複数のレーザマーキング可能な配列又は層は、レーザマーキング可能な透明ポリカーボネートフィルムであり、
又は、
前記１つまたは複数のレーザマーキング可能な配列又は層は、レーザマーキング可能なポリカーボネート透明シートである、請求項６に記載のレーザマーキング可能な光学デバイス。
【請求項１２】
前記１つまたは複数のレーザマーキング可能な配列又は層は、レーザエネルギでマーキング可能であり、
前記１つまたは複数のレーザマーキング可能な配列又は層は、１つまたは複数のレーザ添加物と、ポリスチレン、スチレンアクリロニトリル、アクリロニトリルブタジエンスチレン、ポリエチレンテレフタレート、グリコール変性ポリエチレンテレフタレート、ポリブチレンテレフタレート、及びポリエチレンから成る群から選択される１つまたは複数の熱可塑性ポリマーとを用いて準備され、
前記１つまたは複数のレーザ添加物はカーボンブラックを含む、請求項６に記載のレーザマーキング可能な光学デバイス。
【請求項１３】
前記光学デバイスは、前記光学フィルム材料、１つまたは複数の下層のレーザマーキング可能な層、及び、前記光学フィルム材料と前記１つまたは複数の下層のレーザマーキング可能な層との間に配置された１つまたは複数の熱スペーサ層から構成され、
前記光学フィルム材料は、カプセル化された屈折型集光素子の配列と、光学的スペーサ層によって分離された画像アイコンの配列とを備え、
又は、
前記１つまたは複数の熱スペーサ層は、透明熱可塑性材料を用いて準備され、
又は、
前記１つまたは複数の熱スペーサ層は、５μｍ〜５００μｍの範囲の厚さを有する、請求項６に記載のレーザマーキング可能な光学デバイス。
【請求項１４】
前記１つまたは複数のレーザマーキング可能な配列又は層がその上に１つまたは複数のレーザマーキングされた静的２次元画像を有する、請求項６に記載のレーザマーキング可能な光学デバイスで準備される、レーザマーキングされた光学デバイス。
【請求項１５】
請求項６に記載のレーザマーキング可能な光学デバイス又は請求項１４に記載のレーザマーキングされた光学デバイスから作製されたシート材料。
【請求項１６】
請求項６に記載のレーザマーキング可能な光学デバイス又は請求項１４に記載のレーザマーキングされた光学デバイスから作製された基本プラットフォーム。
【請求項１７】
請求項１５に記載のシート材料又は請求項１６に記載の基本プラットフォームで作られた文書。